(57)【特許請求の範囲】
【請求項１】
電話帳と、
受話音声を取得する音声取得手段と、
発話側の電話番号を取得する電話番号取得手段と、
該取得した受話音声から声紋データを抽出する抽出手段と、
前記受話音声の取得時間を計測する計測手段と、
前記取得した電話番号が前記電話帳にある場合に前記取得した電話番号と前記抽出手段により抽出した声紋データとを対応付けて格納する格納手段と、
前記電話帳にあり、前記取得した電話番号と同一の電話番号に対応する少なくとも１つ以上の声紋データの合算取得時間長が、声紋照合のために必要な時間よりも長いか否かを判定し、長い場合には、前記取得した電話番号と声紋データとを対応付けて前記格納手段に格納させる制御手段と、
を備えたことを特徴とする通話装置。
【請求項２】
前記受話音声の音量を取得する音量取得手段と、
前記受話音声の音量と予め定められた音量の閾値とを比較する比較手段と、
を備え、
前記計測手段が、前記比較手段において前記受話音声の音量が予め定められた音量の閾値を越えた時間を計測することを特徴とする請求項１に記載の通話装置。
【請求項３】
前記抽出した声紋データが声紋照合のために必要な時間よりも短い場合に、この声紋データを前記格納手段に蓄積して格納するか否か、あるいは、前記抽出した声紋データが声紋照合のために必要な時間よりも長い場合に、この声紋データを格納するか否かをユーザが選択する選択手段を備えたことを特徴とする請求項１に記載の通話装置。
【請求項４】
音声取得手段と電話番号取得手段と抽出手段と計測手段と格納手段と制御手段とを備えた通話装置における声紋登録方法であって、
前記音声取得手段が、受話音声を取得する第１のステップと、
前記電話番号取得手段が、発話側の電話番号を取得する第２のステップと、
前記抽出手段が、前記取得した受話音声から声紋データを抽出する第３のステップと、
前記計測手段が、前記受話音声の取得時間を計測する第４のステップと、
前記制御手段が、電話帳にあり、前記取得した電話番号と同一の電話番号に対応する少なくとも１つ以上の声紋データの合算取得時間長が、声紋照合のために必要な時間よりも長いか否かを判定し、長い場合には、前記取得した電話番号と声紋データとを対応付けて前記格納手段に格納する第５のステップと、
を備えたことを特徴とする声紋登録方法。
【請求項５】
音声取得手段と電話番号取得手段と抽出手段と計測手段と格納手段と制御手段とを備えた通話装置における声紋登録方法をコンピュータに実行させるためのプログラムであって、
前記音声取得手段が、受話音声を取得する第１のステップと、
前記電話番号取得手段が、発話側の電話番号を取得する第２のステップと、
前記抽出手段が、前記取得した受話音声から声紋データを抽出する第３のステップと、
前記計測手段が、前記受話音声の取得時間を計測する第４のステップと、
前記制御手段が、電話帳にあり、前記取得した電話番号と同一の電話番号に対応する少なくとも１つ以上の声紋データの合算取得時間長が、声紋照合のために必要な時間よりも長いか否かを判定し、長い場合には、前記取得した電話番号と声紋データとを対応付けて前記格納手段に格納する第５のステップと、
をコンピュータに実行させるためのプログラム。
【発明の詳細な説明】
【技術分野】
【０００１】
本発明は、声紋認証のための声紋データを通話中の受話音声からリアルタイムに、しかも通話相手の音声を意識させることなく取得して自動的に登録する通話装置、声紋登録方法およびプログラムに関する。
【背景技術】
【０００２】
近年、本人になりすました「オレオレ詐欺」電話、売り込み電話又はいたずら電話のような迷惑電話が社会問題となっている。このような悪意を持つ第三者による迷惑電話の対策として、声紋を用いて発信者の認証を行うシステムが開示されている。
【０００３】
例えば、電話機に対応させて声紋データを記憶した声紋登録データベースと、第１の電話機からの発呼により確立された、当該第１の電話機と第２の電話機との間の呼接続の電話網における経路を検出する経路検出手段と、前記第１の電話機から前記第２の電話機に送信される音声データを、前記経路検出手段により検出された経路から取得する音声取得手段と、前記声紋登録データベースに記憶された、前記第２の電話機に対応した声紋データを参照して、当該声紋データの声紋と前記音声取得手段により取得された音声データの声紋との照合を行う声紋照合手段と、を備え、電話網を介して受信者へ送られる発信者の音声から声紋データを取得し、取得した声紋データと声紋データベースに記憶された声紋データとの照合結果を受信者へ送付する技術が開示されている（例えば、特許文献１参照）。
【０００４】
また、照合用声紋データが格納された声紋格納手段と、通信相手の音声を取得する音声取得手段と、前記音声取得手段で取得された音声から声紋データを抽出し、前記照合用声紋データと照合する声紋照合手段と、前記声紋照合手段の照合結果を通知する結果通知手段とを備え、声紋データの登録操作が容易に行える技術も開示されている（例えば、特許文献２参照。）。
【先行技術文献】
【特許文献】
【０００５】
【特許文献１】特開２００６−３８９５５号公報
【特許文献２】特開２０１３−１６４４７２号公報
【発明の概要】
【発明が解決しようとする課題】
【０００６】
しかしながら、特許文献１に記載の技術では、声紋データの登録は、Ｗｅｂなどを通じてシステムにアクセスし、ユーザ認証をクリアした後、登録を希望する相手に電話して相手の声紋データをシステムに記憶させることによって行われるため、操作が煩わしいという問題があった。
【０００７】
また、特許文献２に記載の技術では、文言上、操作の煩わしさは解消できるものの、どのような条件で声紋を取得するのか、どのような形式で登録を行なうのか、判定基準をどのように定めるのか、どのようなタイミングで声紋の認証結果を通知するのか等の具体的な提示がなく、どのようにして技術を具現化するのかが不明であり、実用性に欠けるという問題があった。
【０００８】
さらに、従来、お客様サポートセンター（コールセンター）や金融機関などでは、電話を通じて顧客から事前に設定済みのパスワードを聞き取り、声紋を認証することが行なわれていたが、このやり方では、声紋の一致を調べるため、顧客に「電話番号」や「口座番号」などを覚えやすい固定のパスフレーズを事前に設定してもらう必要があり、サービス性が悪いという問題があった。また、顧客の声紋を登録するためには、コールセンターなどのオペレータによる操作が必要となり、コストがかかるという問題があった。
【０００９】
そこで、本発明は、上述の課題に鑑みてなされたものであり、声紋認証のための声紋データを通話中の受話音声からリアルタイムに、しかも通話相手の音声を意識させることなく取得して自動的に登録する通話装置、声紋登録方法およびプログラムを提供することを目的とする。
【課題を解決するための手段】
【００１０】
（１）本発明は、電話帳と、受話音声を取得する音声取得手段と、発話側の電話番号を取得する電話番号取得手段と、該取得した受話音声から声紋データを抽出する抽出手段と、前記受話音声の取得時間を計測する計測手段と、前記取得した電話番号が前記電話帳にある場合に前記取得した電話番号と前記抽出手段により抽出した声紋データとを対応付けて格納する格納手段と、前記電話帳にあり、前記取得した電話番号と同一の電話番号に対応する少なくとも１つ以上の声紋データの合算取得時間長が、声紋照合のために必要な時間よりも長いか否かを判定し、長い場合には、前記取得した電話番号と声紋データとを対応付けて前記格納手段に格納させる制御手段と、を備えたことを特徴とする通話装置を提案している。
【００１１】
（２）本発明は、（１）の通話装置について、前記受話音声の音量を取得する音量取得手段と、前記受話音声の音量と予め定められた音量の閾値とを比較する比較手段と、を備え、前記計測手段が、前記比較手段において前記受話音声の音量が予め定められた音量の閾値を越えた時間を計測することを特徴とする通話装置を提案している。
【００１２】
（３）本発明は、（１）の通話装置について、前記抽出した声紋データが声紋照合のために必要な時間よりも短い場合に、この声紋データを前記格納手段に蓄積して格納するか否か、あるいは、前記抽出した声紋データが声紋照合のために必要な時間よりも長い場合に、この声紋データを格納するか否かをユーザが選択する選択手段を備えたことを特徴とする通話装置を提案している。
【００１３】
（４）本発明は、音声取得手段と電話番号取得手段と抽出手段と計測手段と格納手段と制御手段とを備えた通話装置における声紋登録方法であって、前記音声取得手段が、受話音声を取得する第１のステップと、前記電話番号取得手段が、発話側の電話番号を取得する第２のステップと、前記抽出手段が、前記取得した受話音声から声紋データを抽出する第３のステップと、前記計測手段が、前記受話音声の取得時間を計測する第４のステップと、前記制御手段が、電話帳にあり、前記取得した電話番号と同一の電話番号に対応する少なくとも１つ以上の声紋データの合算取得時間長が、声紋照合のために必要な時間よりも長いか否かを判定し、長い場合には、前記取得した電話番号と声紋データとを対応付けて前記格納手段に格納する第５のステップと、を備えたことを特徴とする声紋登録方法を提案している。
【００１４】
（５）本発明は、音声取得手段と電話番号取得手段と抽出手段と計測手段と格納手段と制御手段とを備えた通話装置における声紋登録方法をコンピュータに実行させるためのプログラムであって、前記音声取得手段が、受話音声を取得する第１のステップと、前記電話番号取得手段が、発話側の電話番号を取得する第２のステップと、前記抽出手段が、前記取得した受話音声から声紋データを抽出する第３のステップと、前記計測手段が、前記受話音声の取得時間を計測する第４のステップと、前記制御手段が、電話帳にあり、前記取得した電話番号と同一の電話番号に対応する少なくとも１つ以上の声紋データの合算取得時間長が、声紋照合のために必要な時間よりも長いか否かを判定し、長い場合には、前記取得した電話番号と声紋データとを対応付けて前記格納手段に格納する第５のステップと、をコンピュータに実行させるためのプログラムを提案している。
【発明の効果】
【００１５】
本発明によれば、通話中に通話相手の声紋を自動的に登録することができるため、ユーザに煩雑な操作を行なわせる必要がないという効果がある。
【図面の簡単な説明】
【００１６】
【図１】本発明の第１の実施形態に係る通話装置の構成を示す図である。
【図２】本発明の第１の実施形態に係る通話装置の音量取得部の詳細な構成を示す図である。
【図３】本発明の第１の実施形態に係るバッファ最大値と時間との関係を示す図である。
【図４】本発明の第１の実施形態に係る発声時間と無音時間との関係を示す図である。
【図５】本発明の第１の実施形態に係る声紋登録時のデータ構成を示す図である。
【図６】本発明の第１の実施形態に係る電話帳に登録済の電番発着信時の声紋の登録処理を示す図である。
【図７】本発明の第１の実施形態に係る通話相手の音声収録処理を示す図である。
【図８】本発明の第１の実施形態に係る電話帳に未登録の電番発着信時の声紋の登録処理を示す図である。
【図９】本発明の第２の実施形態に係る通話装置の構成を示す図である。
【図１０】本発明の第２の実施形態に係る通話装置の処理を示す図である。
【発明を実施するための形態】
【００１７】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００１８】
＜第１の実施形態＞
以下、図１から図８を用いて、本発明の第１の実施形態に係る通話装置について説明する。
【００１９】
＜通話装置の構成＞
本実施形態に係る通話装置１００は、図１に示すように、音声取得部１１０と、抽出部１２０と、音量取得部１３０と、比較部１４０と、発声時間取得部１４１と、計測部１５０と、制御部１６０と、電話番号取得部１７０と、電話帳１８０と、格納部１９０とから構成されている。
【００２０】
音声取得部１１０は、発話者からの受話音声を取得する。電話番号取得部１７０は、発話側の電話番号を取得する。この取得した電話番号を電話帳１８０に登録されている電話番号と照合することにより、発話番号が電話帳に登録された番号か否かを判断することができる。なお、この判断は、制御部１６０において処理される。
【００２１】
抽出部１２０は、音声取得部１１０が取得した受話音声から声紋データを抽出する。音声取得部１１０において取得される人の声は様々な周波数の音波の集まりで構成されている。抽出部１２０では、音声取得部１１０から取得した受話音声を時間、周波数、強度というパラメータでグラフ化することにより声紋を抽出する。ここで、抽出される声紋は、指紋のように人それぞれ異なった特徴的なパターンを描くという特徴を有する。なお、本明細書において、「声紋」、「声紋データ」、「声紋照合」、「声紋登録」という場合の「声紋」は、上記にて、説明をしたものを示し、「音声」という場合には、「様々な周波数の音波の集まりで構成された人の声」をさす。
【００２２】
計測部１５０は、音声取得部１１０が取得した受話音声の取得時間を計測する。音量取得部１３０は、音声取得部１１０が取得した受話音声から、その音量を取得する。比較部１４０は、音量取得部１３０が取得した受話音声の音量と予め定められた音量の閾値とを比較する。発声時間取得部１４１は、受話データから発声時間を取得する。つまり、計測部１５０は、比較部１４０において、音量取得部１３０が取得した受話音声の音量が予め定められた音量の閾値を越えた時間を発声時間取得部１４１の取得データから計測する。したがって、閾値を超えた時間を発話時間とし、積算することにより、この積算値が、声紋照合のために必要な時間を満たしているのか否かを判断することができる。
【００２３】
格納部１９０は、電話番号取得部１７０が取得した電話番号が電話帳１８０に登録された電話番号である場合に、この電話番号と抽出部１２０により抽出した声紋データとを対応付けて格納する。
【００２４】
制御部１６０は、ＲＯＭ（Ｒｅａｄ  Ｏｎｌｙ  Ｍｅｍｏｒｙ）に記録された制御プログラムにしたがって、通話装置全体の制御を行う。例えば、制御部１６０は、発声時間が声紋照合に十分な時間であるか否かを判定する。また、発声時間が声紋照合に十分な時間であり、取得した電話番号が電話帳に登録されている場合に、ユーザからの登録要求を受けて、電話番号と声紋データとを対応付けて格納する。また、発声時間が声紋照合に十分な時間ではなく、取得した電話番号が電話帳に登録されている場合に、ユーザからの要求を受けて、声紋データを蓄積して保存する。
【００２５】
また、図示しないが、抽出した声紋データを格納部１９０に登録するのか、蓄積して格納するか否かをユーザが選択する選択部を設けてもよい。
【００２６】
＜音量取得部の詳細構成＞
図２に示すように、音量取得部１３０は、受話音声ダウンリンクバッファ１３１と、バッファ最大値取得部１３２と、音声ファイルデータベース１３３とから構成されている。
【００２７】
受話音声ダウンリンクバッファ１３１は、音声取得部１１０が取得した音声データをサンプリングして格納する。例えば、受話音声ダウンリンクバッファ１３１のスペックとしては、サンプリングレート１６ｋＨｚ、バッファサイズ８ｋＢ、バッファ時間０．５ｓｅｃである。
【００２８】
バッファ最大値取得部１３２は、バッファ時間内にサンプリングされたデータの最大値を取得する。音声ファイルデータベース１３３は、受話音声ダウンリンクバッファ１３１におけるバッファが満了したときに、そのデータを保存ずる。
なお、音量取得部１３０の出力は、図３のようになる。
【００２９】
そして、音量取得部１３０の出力は、比較部１４０に渡され、図３に示す所定の閾値と比較され、その結果に基づいて、計測部１５０が、通話時間を発声時間と無音時間に分離して、積算発声時間を計測する。
【００３０】
＜電話帳に登録済みの電番発着信時の声紋登録の処理＞
図１、図３から図６を用いて、本実施形態に係る電話帳に登録済みの電番発着信時の声紋登録の処理について説明する。
【００３１】
図６に示すように、電話帳に登録済の電話番号から音声着信及びその電話番号へ音声発信した場合、以下の手順により通話相手の声紋を登録する。
【００３２】
着信があると、自動的に受話音声の収録を開始する。そして、無音ギャップを除いた通話相手の発声時間を定期的に観測する（ステップＳ１０１）。このとき、有効な発声時間の収録ができたか否かを判断し（ステップＳ１０２）、有効な発声時間の収録ができた場合（ステップＳ１０２の「ＹＥＳ」）には、前回蓄積した音声を削除する（ステップＳ１０３）。
【００３３】
次に、声紋の登録を行うか否かのメッセージを示す選択画面を表示して（ステップＳ１０４）、ユーザが「登録する」を選択した場合には、図５に示すように、収録した受話音声から声紋ファイルを生成し、電話帳の電話番号とを紐つけて登録する（ステップＳ１０５）。一方で、ユーザが「登録しない」を選択した場合には、収録した受話音声を破棄する（ステップＳ１０６）。
【００３４】
また、ステップＳ１０２で、有効な発声時間の収録ができなかった場合（ステップＳ１０２の「ＮＯ」）には、終話しているかどうかを確認し（ステップＳ１０９）、終話していない場合（ステップＳ１０９の「ＮＯ」）には、ステップＳ１０１に戻る。
【００３５】
一方で、終話していると判断した場合（ステップＳ１０９の「ＹＥＳ」）には、声紋の蓄積を行うか否かのメッセージを示す選択画面を表示して（ステップＳ１１０）、ユーザが「蓄積しない」を選択した場合には、収録した受話音声を破棄する（ステップＳ１１１）。
【００３６】
また、ユーザが「蓄積する」を選択した場合には、収録した受話音声を蓄積保存する（ステップＳ１１２）。そして、収録した受話音声をデータベースに保存し、蓄積された受話音声の収録時間が有効な収録時間である場合（ステップＳ１０７の「ＹＥＳ」）には、ステップＳ１０４に進む。一方で、蓄積された受話音声の収録時間が有効な収録時間でない場合（ステップＳ１０７の「ＮＯ」）には、特別な処理を行わない（ステップＳ１０８）。
【００３７】
＜通話音声の収録処理＞
図７を用いて、本実施形態に係る通話音声の収録処理について説明する。
【００３８】
通話が開始されると（ステップＳ２０１）、受話音声収録を開始し、発声時間を計測する（ステップＳ２０２）。次に、有効な発声時間の計測を開始する（ステップＳ２０３）。
【００３９】
具体的には、チェックタイマを開始し（ステップＳ２０４）、タイマが満了したか否かを判断する（ステップＳ２０５）。タイマが満了していない場合（ステップＳ２０５の「ＮＯ」）には、元に戻り、タイマが満了した場合（ステップＳ２０５の「ＹＥＳ」）には、次に、発声時間を計算して（ステップＳ２０６）、発声時間が６０秒よりも長いか否かを判断する（ステップＳ２０７）。
【００４０】
そして、発声時間が６０秒よりも短い場合（ステップＳ２０７の「ＮＯ」）には、ステップＳ２０４に戻り、発声時間が６０秒よりも長い場合（ステップＳ２０７の「ＹＥＳ」）には、受話音声の収録を終了する。
【００４１】
＜電話帳に未登録の電番発着信時の声紋登録の処理＞
図８を用いて、本実施形態に係る電話帳に未登録の電番発着信時の声紋登録の処理について説明する。
【００４２】
着信があると、自動的に受話音声の収録を開始する。そして、無音ギャップを除いた通話相手の発声時間を定期的に観測する（ステップＳ１０１）。このとき、有効な発声時間の収録ができたか否かを判断し（ステップＳ１０２）、有効な発声時間の収録ができた場合（ステップＳ１０２の「ＹＥＳ」）には、声紋の登録を行うか否かのメッセージを示す選択画面を表示して（ステップＳ３０１）、ユーザが「登録する」を選択した場合には、収録した受話音声から声紋ファイルを生成する（ステップＳ３０２）。一方で、ユーザが「登録しない」を選択した場合には、収録した受話音声を破棄する（ステップＳ３０３）。
【００４３】
また、ステップＳ１０２で、有効な発声時間の収録ができなかった場合（ステップＳ１０２の「ＮＯ」）には、終話しているかどうかを確認し（ステップＳ１０９）、終話していない場合（ステップＳ１０９の「ＮＯ」）には、ステップＳ１０１に戻る。
【００４４】
一方で、終話していると判断した場合（ステップＳ１０９の「ＹＥＳ」）には、声紋登録に必要な十分な音声が収集できなかった旨のメッセージを示す選択画面を表示して（ステップＳ３０４）、ユーザが「ＯＫ」を選択した場合には、収録した受話音声を破棄する（ステップＳ３０５）。
【００４５】
以上、説明したように、本実施形態によれば、通話中に通話相手の声紋を自動的に登録することができるため、ユーザに煩雑な操作を行なわせる必要がない。
【００４６】
＜第２の実施形態＞
以下、図９および図１０を用いて、本発明に係る第２の実施形態について説明する。
【００４７】
＜通話装置の構成＞
本実施形態に係る通話装置１００は、図９に示すように、音声取得部１１０と、抽出部１２０と、音量取得部１３０と、比較部１４０と、発声時間取得部１４１と、計測部１５０と、制御部１６１と、電話番号取得部１７０と、電話帳１８０と、格納部１９０とから構成されている。なお、第１の実施形態と同一の符号を付す構成要素については、同様の機能を有するものであることから、その詳細な説明は、省略する。
【００４８】
制御部１６１は、取得した電話番号が電話帳に登録されており、取得した電話番号と同一の電話番号に対応する少なくとも１つ以上の声紋データの合算取得時間長が、声紋照合のために必要な時間よりも長いか否かを判定する、そして、長い場合には、取得した電話番号と声紋データとを対応付けて格納部１９０に格納させる。
【００４９】
＜通話装置の処理＞
図１０を用いて、本実施形態に係る通話装置の処理について説明する。
【００５０】
まず、音声取得部１１０が、受話音声を取得し（ステップＳ４１０）、電話番号取得部１７０が、発話側の電話番号を取得し（ステップＳ４２０）、抽出部１２０が、取得した受話音声から声紋データを抽出する（ステップＳ４３０）。
【００５１】
次に、計測部１５０が、受話音声の取得時間を計測する（ステップＳ４４０）。そして、制御部１６１が、電話帳にあり、取得した電話番号と同一の電話番号に対応する少なくとも１つ以上の声紋データの合算取得時間長が、声紋照合のために必要な時間よりも長いか否かを判定し、長い場合には、取得した電話番号と声紋データとを対応付けて格納部１９０に格納する（ステップＳ４５０）。
【００５２】
以上、説明したように、本実施形態によれば、通話中に通話相手の声紋を自動的に登録することができるため、ユーザに煩雑な操作を行なわせる必要がない。
【００５３】
なお、通話装置の処理をコンピュータシステムが読み取り可能な記録媒体に記録し、この記録媒体に記録されたプログラムを通話装置に読み込ませ、実行することによって本発明の通話装置を実現することができる。ここでいうコンピュータシステムとは、ＯＳや周辺装置等のハードウェアを含む。
【００５４】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５５】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００５６】
以上、この発明の実施形態につき、図面を参照して詳述してきたが、具体的な構成はこの実施形態に限られるものではなく、この発明の要旨を逸脱しない範囲の設計等も含まれる。例えば、サーバを設け、通話装置の機能のうち、抽出部１２０、音量取得部１３０、比較部１４０、計測部１５０、制御部１６１、電話番号取得部１７０の機能をサーバで実現するシステムとしてもよい。
【００５７】
また、本発明のプログラムを読み込ませることにより、携帯電話やスマートフォンは、もちろんのこと、電話線で接続された固定電話においても、本発明を実現することができる。
【符号の説明】
【００５８】
１００；通話装置
１１０；音声取得部
１２０；抽出部
１３０；音量取得部
１３１；受話音声ダウンリンクバッファ
１３２；バッファ最大値取得部
１３３；音声ファイルデータベース
１４１；発声時間取得部
１４０；比較部
１５０；計測部
１６０；制御部
１６１；制御部
１７０；電話番号取得部
１８０；電話帳
１９０；格納部
【図１】
0006370172.tif 000002
【図２】
0006370172.tif 000003
【図３】
0006370172.tif 000004
【図４】
0006370172.tif 000005
【図５】
0006370172.tif 000006
【図６】
0006370172.tif 000007
【図７】
0006370172.tif 000008
【図８】
0006370172.tif 000009
【図９】
0006370172.tif 000010
【図１０】
0006370172.tif 000011